(57)【要約】【課題】鋳造によって成形されるクランクケースであって、鋳造後に切削加工が施されるクランクケースにおいて、回転軸支持部の近傍の負荷がかかる部分に、鋳造時に巣が発生していても、その巣が開口しないようにして強度を維持する手段を提供し、かつ上記手段で形成された軸受部にベアリングのアウターロータを支持する場合に、良好に支持することのできる構成を提供する。【解決手段】上記鋳造成形時に、上記切削加工部の一部を凹陥させて凹部を形成し、上記切削加工部に隣接して油路を形成し、該油路と前記切削加工部との距離が最も近い部分に上記凹部を設け、上記環状支持部の内周面を切削加工する時に、上記凹部の内面側は切削加工しないで残す。【選択図】          図５
2010151276.tif 000002
【特許請求の範囲】
【請求項１】
鋳造によって成形されるクランクケースであって、鋳造後に切削加工が施されるクランクケースにおいて、
上記鋳造成形時に、上記切削加工部の一部を凹陥させて凹部を形成し、
上記切削加工部に隣接して油路を形成し、該油路と前記切削加工部との距離が最も近い部分に上記凹部を設け、
上記環状支持部の内周面を切削加工する時に、上記凹部の内面側は切削加工しないことを特徴とするクランクケース。
【請求項２】
鋳造によって成形されるクランクケースであって、鋳造後に切削加工が施されるクランクケースにおいて、
上記鋳造成形時に上記切削加工部の一部を凹陥させて凹部を成形し、
上記切削加工部に隣接してボルト孔を形成し、該ボルト孔と前記切削加工部との距離が最も近い部分に上記凹部を設け、
上記環状支持部の内周面を切削加工する時に、上記凹部の内側面は切削加工しないことを特徴とするクランクケース。
【請求項３】
上記切削加工部は環状部の内周面であり、前記凹部は前記環状の内周面よりも大径の大径部であり、
上記大径部は上記環状支持部の軸方向の幅の一方の側にのみ形成されることを特徴とする請求項１又は請求項２に記載のクランクケース。
【請求項４】
上記環状支持部は、メイン軸を支持しつつ、変速クラッチに隣接して設けられることを特徴とする請求項３に記載のクランクケース。
【発明の詳細な説明】
【技術分野】
【０００１】
本発明は、車両用エンジン等に備えられるクランクケースの構造に関するものである。
【背景技術】
【０００２】
回転軸を支持するために、クランクケースに凹部や貫通孔を形成し、これらの凹部や貫通孔の内周を切削加工してベアリングのアウタレースを支持するようにした軸受構造が開示されている（例えば、特許文献１参照。）。クランクケースを鋳造によって形成し、凹部などの内周を切削加工すると、鋳造時に出来た巣が加工表面に表われ、応力集中によりクランクケースの強度が低下することがある。
【０００３】
【特許文献１】特許３８４４２０４号公報
【発明の開示】
【発明が解決しようとする課題】
【０００４】
本発明は、切削加工する面の近傍に油路又はボルト孔を配置した場合であっても、鋳造時に発生した巣が開口しないようにして強度を維持する手段を提供しようとするものである。
【課題を解決するための手段】
【０００５】
本発明は上記課題を解決したものであって、請求項１に記載の発明は、
鋳造によって成形されるクランクケースであって、鋳造後に切削加工が施されるクランクケースにおいて、
上記鋳造成形時に、上記切削加工部の一部を凹陥して凹部を形成し、
上記切削加工部に隣接して油路を形成し、該油路と前記切削加工部との距離が最も近い部分に上記凹部を設け、
上記環状支持部の内周面を切削加工する時に、上記凹部の内面側は切削加工しないことを特徴とするクランクケースに関するものである。
【０００６】
請求項２に記載の発明は、
鋳造によって成形されるクランクケースであって、鋳造後に切削加工が施されるクランクケースにおいて、
上記鋳造成形時に上記切削加工部の一部を凹陥して凹部を成形し、
上記切削加工部に隣接してボルト孔を形成し、該ボルト孔と前記切削加工部との距離が最も近い部分に上記凹部を設け、
上記環状支持部の内周面を切削加工する時に、上記凹部の内側面は切削加工しないことを特徴とするクランクケースに関するものである。
【０００７】
請求項３に記載の発明は、請求項１又は請求項２に記載のクランクケースにおいて、
上記切削加工部は環状部の内周面であり、前記凹部は前記環状の内周面よりも大径の大径部であり、
上記大径部は上記環状支持部の軸方向の幅の一方の側にのみ形成されることを特徴とするものである。
【０００８】
請求項４に記載の発明は、請求項３に記載のクランクケースにおいて、
上記環状支持部は、メイン軸を支持しつつ、変速クラッチに隣接して設けられることを特徴とするものである。
【発明の効果】
【０００９】
請求項１の発明において、
切削加工部を凹部を除いて切削加工することによって、凹部の周辺に巣が存在していた場合に、その巣が開口することが防がれ、クランクケースの強度を部分的に高く維持することが出来る。特に、切削加工部と油路とが隣接する場合に、切削加工部と油路とを隔てる壁が薄壁となる部分の強度を高く維持することが出来る。
【００１０】
請求項２の発明において、
切削加工部を凹部を除いて切削加工することによって、凹部の周辺に巣が存在していた場合に、その巣が開口することが防がれ、クランクケースの強度を部分的に高く維持することが出来る。特に、切削加工部とボルト孔とが隣接する場合に、切削加工部とボルト孔とを隔てる壁が薄壁となる部分の強度を高く維持することが出来る。
【００１１】
請求項３の発明において、
環状部の内周面の一部を大径化することで、簡易な構成で油路に隣接する切削加工部の強度を高く維持することが出来る。また、環状支持部の軸方向の全幅にわたって大径部を形成するのではなく、大径部が形成されない部分を残して通常径に形成して切削加工するので、ボールベアリングや回転軸の支持を良好にすることが出来る。
【００１２】
請求項４の発明において、
上記大径部を形成した環状支持部を、メイン軸を支持しつつ、変速クラッチに隣接して設けた場合においては、ベアリングを特別に大型化することなく変速クラッチを良好に支持することが出来る。
【発明を実施するための最良の形態】
【００１３】
図１は、本発明の一実施形態に係る自動二輪車用エンジン１の縦断面を左方から見た図である。本実施形態の説明あるいは図で、前（Ｆ）、左（Ｌ）、右（Ｒ）などは、車両の前・左・右を基準にして示している。上記エンジン１の殻体は、クランクケース２、シリンダブロック３、シリンダヘッド４、およびシリンダヘッドカバー５からなる。クランクケース２は左右半割り形式で、詳しくは図３に示すが、左クランクケース２Ｌ、右クランクケース２Ｒ、左クランクケースカバー６Ｌ、および右クランクケースカバー６Ｒからなっている。図１には、右クランクケース２Ｒの左面（内側面）が示され、左クランクケース２Ｌとの合わせ面２Ｒａが示されている。クランクケース２には、クランク軸７、バランサ８、常時噛合い式歯車変速機９のメイン軸10、カウンタ軸11、シフトフォーク12、およびシフトドラム13が、回転または回動可能に支持されている。シリンダブロック３にはピストン16が摺動可能に嵌装され、コンロッド17を介してクランク軸７のクランクピン18に接続され、ピストン16の動きに応じてクランク軸７を回転駆動する。シリンダヘッド４の下部、ピストン16の上部には、燃焼室19が形成されている。この燃焼室19には、吸気ポート20、排気ポート21が連なり、これらを開閉する吸気弁22および排気弁23が設けてある。吸気ポート20には、スロットルボディ24および燃料噴射弁25が接続されている。
【００１４】
図２は、上記エンジン１の縦断面を右方から見た図である。図には、左クランクケース２Ｌの右面（内側面）が示され、右クランクケース２Ｒとの合わせ面２Ｌａが示されている。図には、回転軸を除去して左クランクケース２Ｌ内部のクランク軸左側軸受部78Ｌ、バランサ左側軸受部79Ｌ、メイン軸左側軸受部80Ｌ、およびカウンタ軸左側軸受部81Ｌが示してある。
【００１５】
図３は図２のＩＩＩ−ＩＩＩ断面展開図である。クランクケース２は、シリンダ軸線を通る鉛直面で分かれる左右半割り形式で、左クランクケース２Ｌ、右クランクケース２Ｒ、左クランクケースカバー６Ｌ、および右クランクケースカバー６Ｒからなっている。クランクケース２の上面に順に、シリンダブロック３、シリンダヘッド４、シリンダヘッドカバー５が接続されている。シリンダヘッド４の下部には燃焼室19に臨む点火プラグ26が設けてある。クランク軸７は、左右クランクケース２Ｌ、２Ｒに、ジャーナル軸受27Ａ、27Ｂを介して支持されている。メイン軸10は、左右クランクケース２Ｌ、２Ｒに、ボールベアリング28Ａ、28Ｂを介して支持されている。カウンタ軸11は、左右クランクケース２Ｌ、２Ｒに、ボールベアリング29Ａ、29Ｂを介して支持されている。
【００１６】
クランク軸７の左方延伸部に交流発電機30が設けられ、左クランクケースに固定された左クランクケースカバー６Ｌによって覆われている。交流発電機30のステータ31は、左クランクケースカバー６Ｌの内面に固定されている。交流発電機30のロータ32は、クランク軸７の左端に固定されている。ジャーナル軸受27Ａに隣接して、スタータ従動歯車35がクランク軸７に対して回転可能に設けてある。スタータ従動歯車35の回転は、ワンウエイクラッチ36と交流発電機30のロータ32とを介してクランク軸７に伝達される。クランク軸７の右方延伸部には、バランサ駆動歯車37、カムチェーン駆動スプロケット38、クランク軸７の動力を変速機９に伝えるプライマリ駆動歯車39、が順に固定されている。カムチェーン駆動スプロケット38にはカムチェーン40が巻きかけられ、カムチェーン室41を経由して、シリンダヘッド４とシリンダヘッドカバー５の内部に設けてある動弁機構に達している。
【００１７】
メイン軸10の右端部には、多板クラッチ42が設けてあり、そのクラッチアウタ43には、上記クランク軸７のプライマリ駆動歯車39から動力を受けるプライマリ従動歯車44が固定されている。クラッチインナ45はメイン軸10に固定されている。運転者のクラッチ操作によって、クラッチアウタ43とクラッチインナ45の間の摩擦板50によって動力が断接される。メイン軸10とカウンタ軸11には、常時噛合い式歯車変速機９の変速用歯車群46が設けられ、図示していない変速機構の操作によって、１速〜６速の変速がなされる。カウンタ軸11はこの変速機の出力軸であり、カウンタ軸11の左端には後輪駆動用スプロケット47が固定され、後輪駆動用チェーン48が掛けまわしてある。
【００１８】
図４は、上記エンジン１の左クランクケースカバー６Ｌを取外した状態の左面図である。図の左クランクケース２Ｌには、左クランクケースカバー６Ｌとの合わせ面２Ｌｂと後輪駆動用スプロケット47の保護部49が示されている。クランクケース２の後部上面にスタータモータ52が設置されており、スタータモータ52の駆動力は、スタータモータ52の回転軸53のピニオン54から、中間軸55の大径歯車56と小径歯車57を経由して、クランク軸７のスタータ従動歯車35（図３も参照）に伝達される。図において、スタータ従動歯車35の手前側にステータ31とロータ32からなる交流発電機30が設けてある。
【００１９】
図５は、上記エンジン１の右クランクケースカバー６Ｒを取外した状態の右面図である。図の右クランクケース２Ｒには、右クランクケースカバー６Ｒとの合わせ面２Ｒｂが示してある。右クランクケースカバー６Ｒを取外した開口から右クランクケース２Ｒの内部が見える。この部分のクランク軸７には、動弁機構のカムチェーン駆動スプロケット38が設けてあり、カムチェーン40が掛け回されている。カムチェーン40には、テンショナ58が設けてあり、シリンダブロック３の壁体を貫通して外側から設けられたテンショナリフタ59が、上記テンショナ58を内方へ押している。クランク軸７の下方にはオイルポンプ60が設けてある。メイン軸10の下方にはシフトドラム回動機構61が設けてある。
【００２０】
図５には、回転軸を取り除いて、バランサ右側軸受部79Ｒ、メイン軸右側軸受部80Ｒ、およびカウンタ軸右側軸受部81Ｒが示してある。メイン軸右側軸受部80Ｒ、およびカウンタ軸右側軸受部81Ｒの上方には、カウンタ軸右側軸受部81Ｒに連通する油路62、63が設けてある。カウンタ軸右側軸受部81Ｒに供給されたオイルは、図３および後述の図６に示されるように、カウンタ軸11の中心孔11ａを経由して、変速用歯車群46に供給される。
【００２１】
図６は、図１および図５のＶＩ−ＶＩ断面展開図である。図５の油路62から分岐する油路64は、図６に示されるように左方へ伸び、更に、図２および図６に示されるように下方へ伸びる油路65となって、メイン軸左側軸受部80Ｌに連通する。メイン軸左側軸受部80Ｌに供給されたオイルは、図３および図６に示されるメイン軸10の中心孔10ａを経由して、変速用歯車群46に供給される。
【００２２】
図６において、メイン軸10には、多板クラッチ42と、１速〜６速歯車Ｍ1ｘ、Ｍ2ｘ、Ｍ3ｓ、Ｍ4ｓ、Ｍ5ｗ、Ｍ6ｗが設けてある。カウンタ軸11には１速〜６速歯車Ｃ1ｗ、Ｃ2ｗ、Ｃ3ｗ、Ｃ4ｗ、Ｃ5ｓ、Ｃ6ｓが設けてある。これらは対応する歯車が常時噛み合う変速用歯車群46である。添字ｘは、軸と一体または軸に固定されている歯車、添字ｗは、軸上の所定の位置で軸に対して空転可能の歯車、添字ｓは、スプラインによって保持され、空転不可であるが、軸方向摺動可能の歯車である。運転者の意思によってシフトドラム回動機構61（図５）を介してシフトドラム13（図１）が駆動され、シフトフォーク12が軸方向摺動可能歯車（添字ｓ）を駆動して、隣の空転歯車（添字ｗ）に係合し、所定の変速がなされる。
【００２３】
図２において、カウンタ軸11の上方にクランクケース２の内外を連通するブリーザ室68が形成されている。図示のブリーザ室68は左ブリーザ室68Ｌであり、右クランクケース２Ｒに形成されている右ブリーザ室68Ｒ（図１）と一体化して完全なブリーザ室68となる。左ブリーザ室68Ｌの上壁にはブリーザ室68の内外を連通するガス流通管69が立設されている。図１、図２に示されるように、ブリーザ室68とシリンダブロック３との間の凹部70にスタータモータ52が設けてある。
【００２４】
図１には、図２に示した左ブリーザ室68Ｌにつながる右ブリーザ室68Ｒが示されている。右ブリーザ室68Ｒに隣接して、スピードセンサ71が設けてある。図１、図２に示されるように、メイン軸10をカウンタ軸11の斜め上方に配置し、ブリーザ室68とスピードセンサ71を、カウンタ軸11の上方かつメイン軸の歯車の後方に配置してある。これによって、メイン軸10とカウンタ軸11の前後方向の距離、即ちエンジン１の前後方向長さを短くすることが出来、かつカウンタ軸11の上方のスペースを有効利用することが出来る。
【００２５】
図６において、クランクケース２の上部に、左ブリーザ室68Ｌと右ブリーザ室68Ｒが一体となったブリーザ室68が示されている。ブリーザ室68の上部にはガス流通管69が立設されている。スピードセンサ71は、スピードセンサ支持壁75の上面にボルト72によって取付けられている。スピードセンサ71の円筒状の軸は、ブリーザ室68の右側（変速機軸方向）に隣接して、スピードセンサ支持壁75に形成された貫通孔からクランクケース内方に嵌入される。さらに、スピードセンサ支持壁75には環状のボス部75ａとその下部に環状のガイド部75ｂが形成され、スピードセンサ71は、ボス部75ａにＯ-リング83を介して支持されつつ、その下部で環状のガイド部75ｂに沿って配置される。ガイド部75ｂはボス部75ａの内面の一部に形成されている部分である。ブリーザ室68の側壁の一部は、ガイド部75ｂ付近のボス部75ａにより構成されている。スピードセンサ71の先端は、メイン軸10の第５速歯車Ｍ5ｗの歯先部に対向している。ブリーザ室68の深さＸとスピードセンサ71の軸方向長さＹは略同一としてある。
【００２６】
図７は、クランクケース２の後部の上面図である。後部にブリーザ室68とガス流通管69とスピードセンサ71が設けてある。クランク軸７を始動するスタータモータ52は、ブリーザ室68とスピードセンサ71の前方の、クランクケース２の上面の凹部70に配置されている（図１、図２）。これによって、スタータモータ52の突出を避けることが出来る。スタータモータ52のピニオン54は、左クランクケース２Ｌの左側上部の突出部73内に挿入されている（図４も参照）。ピニオン54と、それに接続する中間軸55の大径歯車56、小径歯車57、およびスタータ従動歯車35からなる歯車列（図４）は、左クランクケースカバー６Ｌによって覆われる。
【００２７】
図６において、クランクケース２の後部では、ブリーザ室68の上壁74を、スピードセンサ71の支持壁75と略同じ高さとし、スピードセンサ71を、変速機メイン軸10の第５速歯車Ｍ5ｗに対向して配置してある。上記スピードセンサ71は磁気センサであり、歯車の歯先が通過するときの磁束変化を電気信号に変換して回転速度を検出するものである。
【００２８】
上記メイン軸10の第５速歯車Ｍ5ｗは空転歯車であり、メイン軸10と連動していない。メイン軸10の第５速歯車Ｍ5ｗは、出力軸であるカウンタ軸11の空転不可・軸方向摺動可能歯車Ｃ5ｓに常時噛み合っているので、カウンタ軸11と連動している。カウンタ軸11は、更に、同カウンタ軸11に設けられた後輪駆動用スプロケット47と後輪駆動用チェーン48を介して車両の後輪に連動している。車両の後輪の回転速度は、ほぼ車両の対地速度に比例している。したがって、メイン軸10の第５速歯車Ｍ5ｗの回転速度を基にして車両の速度を算出することが可能である。
【００２９】
図６において、ボールベアリング28Ｂのアウタレースを支持する環状支持部76(切削加工部)には、図５に示されるように、内周の一部に大径部(凹部)76ａが形成してある。この大径部76ａは、鋳造時に形成されるものであり、この環状支持部76の内周を切削加工する時には、通常径部分76ｂのみを切削加工し、上記大径部76ａは、切削加工しないまま残される。鋳造品を切削加工すると、巣が内部に存在している場合には、それが開口して強度が低下する。大径部76ａは切削加工を免れるので、この部分の周辺に巣があったとしても、その巣は開口することが防がれ、大径部76ａの周辺は高い強度を維持することが出来る。図５および図６において、上記環状支持部76に隣接して、油路62が設けてある。油路62と環状支持部76との距離が最も近い部分に上記大径部76ａが設けてあるので、油路62と環状支持部76との間を薄肉にした場合でも、この部分の軸受部の強度を高く維持することが出来る。
【００３０】
上記大径部76ａは、図６に示されるように、上記環状支持部76の軸方向の幅の一方の側にのみ形成されている。環状支持部76の軸方向の全幅にわたって大径部76ａを形成するのではなく、大径部76ａに隣接して通常径部分76ｂが残してあるので、ボールベアリング28Ｂの外周を全周にわたって通常径部分76ｂで支持することとなり、ボールベアリング28Ｂのアウタレースに対してケース側軸受部（即ち通常径部分76ｂ）が剛に接触するので、一部にケース側軸受不存在部（すなわち大径部76ａ）があっても、メイン軸10の軸位置がずれることが防がれる。
【００３１】
図６において、メイン軸10は、一端側に大重量の多板クラッチ42を支持しているので、多板クラッチ42とメイン軸10の変速用歯車群46との間に大型ボールベアリング28Ｂを備えている。上記環状支持部76は、多板クラッチ42に隣接して設けられているので、大重量の多板クラッチ42を高強度で支持することが出来る。
【００３２】
図８は、図６のスピードセンサの近傍の拡大図、図９は、図８のＩＸ−ＩＸ断面図であり、スピードセンサ71を除去して環状のボス部75ａの断面のみを示した断面図である。スピードセンサ71を収容する環状のボス部（切削加工部）75ａがクランクケース２Ｒに形成されている。このボス部75ａのセンサ収容孔82の内面の、油路62に隣接した部分には、鋳造時に成形された大径部(凹部)82ａが設けられている。鋳造後、センサの環状のボス部75ａをスピードセンサ71を収容可能に切削加工する際に、上記大径部82ａは切削加工しないままの鋳肌表面として残される。これによって、センサ収容孔82と油路62とにはさまれる環状のボス部75ａの強度を高く維持することが出来る。
【００３３】
図１０は、図８のＸ−Ｘ断面図であり、スピードセンサ71を除去して環状のボス部75ａの断面のみを示した断面図である。スピードセンサ71のボス部75ａとスピードセンサ71との間をシールするＯ-リング83の外側にスピードセンサ座面84が形成されている。スピードセンサ座面84が設けられている凹部85に隣接して、スピードセンサ71を固定するボルト72が螺合するボルト孔86が設けてある。上記凹部85の、ボルト孔86に隣接した部分には、鋳造時に成形された大径部（凹部）85ａが設けてある。これによって、凹部85とボルト孔86とにはさまれる環状のボス部75ａの強度を高く維持することが出来る。
【００３４】
上記の他に、クランクケース２Ｌ、２Ｒを締結するボルト孔の近傍に大径部（凹部）を設けて、その付近の強度を高く維持することが出来る。
【００３５】
メイン軸10の第５速歯車Ｍ5ｗは、上記高強度の環状支持部76によって支持される大型ボールベアリング28Ｂの近くに設けてあるので、歯先のぶれが小さい。このため、スピードセンサ71をメイン軸10の第５速歯車Ｍ5ｗに近づけて、高精度の速度検出を行うことが出来る。
【００３６】
以上詳述したように、上記実施形態においては、次の効果がもたらされる。
（１）切削加工部を凹部を除いて切削加工することによって、凹部の周辺に巣が存在していた場合に、その巣が開口することが防がれ、クランクケースの強度を部分的に高く維持することが出来る。特に、切削加工部と油路とが隣接する場合に、切削加工部と油路とを隔てる壁が薄壁となる部分の強度を高く維持することが出来る。
（２）切削加工部を凹部を除いて切削加工することによって、凹部の周辺に巣が存在していた場合に、その巣が開口することが防がれ、クランクケースの強度を部分的に高く維持することが出来る。特に、切削加工部とボルト孔とが隣接する場合に、切削加工部とボルト孔とを隔てる壁が薄壁となる部分の強度を高く維持することが出来る。
（３）環状部の内周面の一部を大径化することで、簡易な構成で油路に隣接する切削加工部の強度を高く維持することが出来る。また、環状支持部の軸方向の全幅にわたって大径部を形成するのではなく、大径部が形成されない部分を残して通常径に形成して切削加工するので、ボールベアリングや回転軸の支持を良好にすることが出来る。
（４）上記大径部を形成した環状支持部を、メイン軸を支持しつつ、変速クラッチに隣接して設けた場合においては、ベアリングを特別に大型化することなく変速クラッチを良好に支持することが出来る。
【図面の簡単な説明】
【００３７】
【図１】本発明の一実施形態に係る自動二輪車用エンジンの縦断面を左方から見た図である。
【図２】上記エンジンの縦断面を右方から見た図である。
【図３】図２のＩＩＩ−ＩＩＩ断面展開図である。
【図４】上記エンジンの左クランクケースカバーを取外した状態の左面図である。
【図５】上記エンジンの右クランクケースカバーを取外した状態の右面図である。
【図６】図１のＶＩ−ＶＩ断面図である。
【図７】クランクケース後部の上面図である。
【図８】図６のスピードセンサの近傍の拡大図
【図９】図８のＩＸ−ＩＸ断面図である（スピードセンサ71を除去して示してある）。
【図１０】図８のＸ−Ｘ断面図である（スピードセンサ71を除去して示してある）。
【符号の説明】
【００３８】
１…自動二輪車用エンジン、２…クランクケース、７…クランク軸、９…変速機、10…メイン軸、11…カウンタ軸、28Ａ…メイン軸左ボールベアリング、28Ｂ…メイン軸右ボールベアリング、35…スタータ従動歯車、39…プライマリ駆動歯車、42…多板クラッチ、44…プライマリ従動歯車、46…変速用歯車群、47…後輪駆動用スプロケット、48…後輪駆動用チェーン、52…スタータモータ、54…ピニオン、55…中間軸、56…大径歯車、57…小径歯車、62…油路、63…油路、64…油路、65…油路、68…ブリーザ室、69…ガス流通管、71…スピードセンサ、75…スピードセンサ71の支持壁、75ａ…環状のボス部、75ｂ…環状のガイド部、76…環状支持部、76ａ…環状支持部の大径部、76ｂ…環状支持部の通常径部分、80Ｌ…メイン軸左側軸受部、80Ｒ…メイン軸右側軸受部、81Ｌ…カウンタ軸左側軸受部、81Ｒ…カウンタ軸右側軸受部、82…センサ収容孔、82ａ…大径部(凹部)、83…Ｏ-リング、84…スピードセンサ座面、85…センサ座面が設けられている凹部、85ａ…大径部（凹部）、86…ボルト孔。
【図１】
2010151276.tif 000003
【図２】
2010151276.tif 000004
【図３】
2010151276.tif 000005
【図４】
2010151276.tif 000006
【図５】
2010151276.tif 000007
【図６】
2010151276.tif 000008
【図７】
2010151276.tif 000009
【図８】
2010151276.tif 000010
【図９】
2010151276.tif 000011
【図１０】
2010151276.tif 000012